(57)【要約】  本発明は、洗濯機の分野に属する。具体的には、筐体と、筐体内に設置されて貯水に用いられる内槽と、前記内槽を回転駆動する駆動装置を含む洗濯機であって、内槽から排出された水を収集する集水装置を更に含み、前記集水装置が前記内槽の外側に位置し、集水装置の外壁及び／又は内槽の外壁には更に制震装置が設けられている洗濯機に関する。本発明における洗濯機の制震装置は、集水装置及び／又は内槽の震動に伴って位置を調整可能である。制震装置は、集水装置及び／又は内槽のうち筐体と最も衝突しやすい位置に常に配置され、震動を軽減し、衝突による騒音を低減させるとの作用を奏する。【選択図】図１
2020527965.tif 000002
【特許請求の範囲】
【請求項１】
筐体と、前記筐体内に設置されて貯水に用いられる内槽と、前記内槽を回転駆動する駆動装置を含む洗濯機であって、
前記内槽から排出された水を収集する集水装置を更に含み、前記集水装置は前記内槽の外側に位置し、前記集水装置の外壁及び／又は前記内槽の外壁には更に制震装置が設けられていることを特徴とする洗濯機。
【請求項２】
前記集水装置は上開口を有する集水室を含み、前記内槽は前記集水室の上開口と連通し、前記集水室の側壁の外部に前記制震装置が設けられていることを特徴とする請求項１に記載の洗濯機。
【請求項３】
前記集水装置は、装着プレートと、前記装着プレートに設置される堰止リブを含み、前記装着プレートと前記堰止リブとで取り囲むことにより集水室が形成され、前記堰止リブの外壁に前記制震装置が設けられており、
好ましくは、前記堰止リブは環状をなしており、前記堰止リブと前記装着プレートとで取り囲むことにより環状の集水室が形成されることを特徴とする請求項１又は２に記載の洗濯機。
【請求項４】
前記制震装置は、前記堰止リブのうち前記筐体の内壁との距離が最も小さい部位に設置されることを特徴とする請求項３に記載の洗濯機。
【請求項５】
前記内槽の水平方向の投影図が前記集水室の水平方向の投影図を覆っている場合には、前記制震装置を前記内槽の外壁に設置し、
前記内槽の水平方向の投影図が前記集水室の水平方向の投影図の内側に位置する場合には、前記制震装置を前記内槽の外壁と前記堰止リブの外壁に設置することを特徴とする請求項３又は４に記載の洗濯機。
【請求項６】
前記堰止リブは傾斜して設けられ、且つ、上から下に向かって前記集水室の中心軸線方向へ徐々に収縮しており、前記制震装置は前記堰止リブの外周の上部に設置され、
或いは、前記堰止リブは垂直に設けられ、前記制震装置は前記堰止リブの外周の中央部及び／又は上部に設置されることを特徴とする請求項３〜５のいずれかに記載の洗濯機。
【請求項７】
前記制震装置は軟質材料から構成され、前記堰止リブの外周壁及び／又は前記内槽の外壁に間隔を置いて設置されるか、連続して設置されることを特徴とする請求項３〜６のいずれかに記載の洗濯機。
【請求項８】
前記制震装置は複数の制震ブロックを含み、前記複数の制震ブロックは、環状の前記堰止リブの外壁及び／又は前記内槽の外壁に間隔を置いて設置されるとともに均一に配置され、
好ましくは、前記制震ブロックは４つ設けられ、環状の前記堰止リブのうち前記筐体の４つの側壁との距離が最も小さい部位にそれぞれ設置されることを特徴とする請求項７に記載の洗濯機。
【請求項９】
前記制震装置は制震リングを含み、前記制震リングは、前記堰止リブの外環及び／又は前記内槽の外壁に覆設されて、前記堰止リブ及び／又は前記内槽の外壁の周方向に沿って環状に設置され、
好ましくは、前記制震リングは前記堰止リブの外環に覆設されて、部分的又は全体的に前記堰止リブの外周壁を覆うことを特徴とする請求項７又は８に記載の洗濯機。
【請求項１０】
前記制震装置は、接着、及び／又は係接、及び／又は溶融接続、及び／又は溶接によって前記堰止リブ及び／又は前記内槽の外周壁に固定されることを特徴とする請求項３〜９のいずれかに記載の洗濯機。
【発明の詳細な説明】
【技術分野】
【０００１】
本発明は洗濯機の分野に属し、具体的には洗濯機に関する。
【背景技術】
【０００２】
洗濯機は、電気を利用して衣類を洗浄する装置として設計される。一般的に、洗濯機は、洗浄水を蓄える槽と、回転可能に槽の内部に装着される回転槽と、回転可能に回転槽の底部に装着されるパルセータと、回転槽及びパルセータを回転させるよう構成されるモータ及びクラッチを含む。衣類及び洗剤が回転槽に投入された状態で回転槽とパルセータが回転すると、回転槽に投入された衣類とともにパルセータが洗浄水を攪動することで、衣類から汚れが除去される。
【０００３】
洗濯機の洗浄容量を拡大するためには、より大きな回転槽が必要となる。即ち、回転槽の高さ又は直径を増大する必要がある。また、回転槽がより大きなサイズを有する場合には、回転槽を収容する槽及び槽を収容するハウジングもまた、回転槽の拡大に伴って増大する必要がある。
【０００４】
しかし、洗濯機の外観に対応するハウジングの拡大は、洗濯機の設置スペースに大きく規制される。一般的なユーザの家では、洗濯機の設置位置に限りがあるため、洗濯機のハウジングを拡大して洗濯槽の容量を増大させるのはあまり現実的ではない。そこで、洗濯機のハウジングを拡大することなく、如何にして洗濯槽の容量を拡大するかが設計者を悩ませる大きな難題となっている。
【０００５】
特許文献１は、内槽に孔の無い洗濯機について開示しており、洗濯機の技術分野に言及している。当該洗濯機は、節水を前提として、内槽の上方から排水する際に水が飛散して、外槽に細菌が繁殖しやすいとの課題を解決するとともに、洗濯機のコスト削減を可能とする発明である。内槽に孔の無い洗濯機は、内槽と外槽を含み、前記内槽の槽口に集水リングが設けられている。前記集水リングは、集水室と、前記集水室に連通する集水口及び排水口を含む。前記集水口は前記内槽の内部に面しており、前記排水口は前記内槽と外槽の間の隙間に面している。前記排水口には排水管が接続されており、前記排水管は下方に向かって前記外槽の底部まで延伸している。当該構造によれば集水効果が実現されるが、外槽の庇が内槽よりも延伸していることから、内槽が外槽に衝突して損傷しやすい。且つ、庇が存在することから、内槽の容積を拡大しにくい。
【０００６】
このほか、洗濯機の動作過程では、モータが内槽を回転させる際に、回転速度が速過ぎたり急停止したり等の場合に槽が衝突しやすく、洗濯機にズレが生じて大きな騒音が発生する。そこで、震動を軽減するために、洗濯機には制震懸架ロッドや制震パッド等の制震装置が設けられている。従来の洗濯機では、槽アセンブリから筐体への衝撃を緩衝して震動を軽減するために、筐体に制震パッドを設置することが多い。しかし、洗浄時に外槽の高さが低下する場合には、これに対応して貼付する制震パッドの位置を下方に移動させる必要があり、生産ラインの実務に不都合である。また、槽内に衣類と水を投入したあとの下方への移動距離は毎回異なるが、筐体上の制震パッドの貼付位置は固定されている。そのため、外槽が筐体に衝突する際に、予め制震パッドが設けられている筐体部位に衝突するとは限らず、制震パッドの機能面積が左右されることがある。結果、制震パッドによる衝撃防止効果に劣り、良好な緩衝作用を奏することができない。
【０００７】
以上に鑑みて、本発明を提案する。
【先行技術文献】
【特許文献】
【０００８】
【特許文献１】中国特許出願第２０１６１０２１０９０４．６号明細書
【発明の概要】
【発明が解決しようとする課題】
【０００９】
本発明は、従来技術の瑕疵を解消し、洗濯機を提供することを解決しようとする技術的課題とする。本発明における洗濯機の制震装置は、集水装置及び／又は内槽の震動に伴って位置を調整可能である。制震装置は、集水装置及び／又は内槽のうち筐体と最も衝突しやすい位置に常に配置され、震動を軽減し、衝突による騒音を低減させるとの作用を奏する。
【課題を解決するための手段】
【００１０】
上記の技術的課題を解決すべく、本発明で採用する技術方案の基本思想について以下に述べる。
【００１１】
本発明の目的は、筐体と、筐体内に設置されて貯水に用いられる内槽と、前記内槽を回転駆動する駆動装置を含む洗濯機であって、内槽から排出された水を収集する集水装置を更に含み、前記集水装置は前記内槽の外側に位置し、集水装置の外壁及び／又は内槽の外壁に更に制震装置が設けられている洗濯機を提供する。
【００１２】
更なる方案として、前記集水装置は上開口を有する集水室を含む。前記内槽は集水室の上開口と連通し、前記集水室の側壁の外部に制震装置が設けられている。
【００１３】
更なる方案として、前記集水装置は、装着プレートと、装着プレートに設置される堰止リブを含む。前記装着プレートと堰止リブとで取り囲むことにより集水室が形成され、堰止リブの外壁に制震装置が設けられている。好ましくは、前記堰止リブは環状をなしており、前記堰止リブと装着プレートとで取り囲むことにより環状の集水室が形成される。
【００１４】
更なる方案として、前記制震装置は、堰止リブのうち筐体の内壁との距離が最も小さい部位に設置される。
【００１５】
更なる方案として、内槽の水平方向の投影図が前記集水室の水平方向の投影図を覆っている場合には、制震装置を内槽の外壁に設置する。また、内槽の水平方向の投影図が集水室の水平方向の投影図の内側に位置する場合には、制震装置を内槽の外壁と堰止リブの外壁に設置する。
【００１６】
更なる方案として、前記堰止リブは傾斜して設けられ、且つ、上から下に向かって集水室の中心軸線方向へ徐々に収縮しており、制震装置は堰止リブの外周の上部に設置される。或いは、前記堰止リブは垂直に設けられ、前記制震装置は堰止リブの外周の中央部及び／又は上部に設置される。
【００１７】
更なる方案として、前記制震装置は軟質材料から構成され、堰止リブの外周壁及び／又は内槽の外壁に間隔を置いて設置されるか、連続して設置される。
【００１８】
更なる方案として、前記制震装置は複数の制震ブロックを含む。複数の制震ブロックは、環状の堰止リブの外壁及び／又は内槽の外壁に間隔を置いて設置されるとともに均一に配置される。好ましくは、前記制震ブロックは４つ設けられ、環状の堰止リブのうち筐体の４つの側壁との距離が最も小さい部位にそれぞれ設置される。
【００１９】
更なる方案として、制震装置は制震リングを含む。前記制震リングは、堰止リブの外環及び／又は内槽の外壁に覆設されて、堰止リブ及び／又は内槽の外壁の周方向に沿って環状に設置される。
【００２０】
好ましくは、前記制震リングは堰止リブの外環に覆設されて、部分的又は全体的に堰止リブの外周壁を覆う。
【００２１】
更なる方案として、前記制震装置は、接着、及び／又は係接、及び／又は溶融接続、及び／又は溶接によって堰止リブ及び／又は内槽の外周壁に固定される。
【発明の効果】
【００２２】
上記の技術方案を用いることで、本発明は従来技術と比較して以下の有益な効果を有する。
【００２３】
集水装置を設けることで、水が内槽から排出される際に、集水装置により水が堰き止められるため、水が溢れ出すとの事態が防止される。また、集水装置は全体が内槽の下方に位置するため、集水装置が内槽と筐体の間に位置する部分の構造を有さない。よって、内槽の容量拡大を規制するような作用を持たず、内槽の容量拡大のために十分なスペースが提供される。
【００２４】
本発明における洗濯機の制震装置は、集水装置及び／又は内槽の外壁に設置されるため、集水装置及び／又は内槽の震動に伴って位置を調整可能である。制震装置は、集水装置及び／又は内槽のうち筐体と最も衝突しやすい位置に常に配置され、震動を軽減し、衝突による騒音を低減させるとの作用を奏するため、制震装置として最大限の役割を発揮する。
【００２５】
以下に、図面を組み合わせて、本発明の具体的実施形態につき更に詳細に述べる。
【００２６】
図面は本発明の一部として、本発明の更なる理解のために提供される。本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００２７】
【図１】図１は、本発明における制震ブロックが集水装置／外槽の外壁に装着された洗濯機の構造を示す図である。
【図２】図２は、本発明における制震ブロックが集水装置／外槽の外壁に装着された洗濯機の平面図である。
【図３】図３は、本発明における制震リングが集水装置／外槽の外壁に装着された洗濯機の平面図である。
【図４】図４は、本発明における洗濯機の平面構造を示す図である。
【図５】図５は、本発明における洗濯機の図４のＡ−Ａ方向の断面構造を示す図である。
【図６】図６は、本発明における他の構造の洗濯機のＡ−Ａ方向の断面構造を示す図である。
【発明を実施するための形態】
【００２８】
なお、これらの図面及び文字記載は何らかの方式で本発明の構想の範囲を制限するとの意図ではなく、特定の実施例を参照して当業者に本発明の概念を説明するためのものである。
【００２９】
本発明における実施例の目的、技術方案及び利点をより明確とすべく、以下では本発明の実施例にかかる図面を組み合わせて、実施例の技術方案につき明瞭簡潔に述べる。なお、以下の実施例は本発明を説明するためのものであって、本発明の範囲を制限するものではない。
【実施例１】
【００３０】
図１〜図６に示すように、本実施例は洗濯機を提供する。当該洗濯機は、筐体１００と、筐体１００内に設置されて貯水に用いられる内槽２００と、前記内槽２００を回転駆動する駆動装置３００を含むとともに、内槽２００から排出された水を収集する集水装置を更に含む。前記集水装置は前記内槽２００の外側に位置する。集水装置の外壁及び／又は内槽２００の外壁には、更に制震装置８００が設けられている。
【００３１】
本実施例における洗濯機の内槽２００は孔の無い内槽２００である。内槽２００は、上部にのみ脱水した水を振り出す脱水孔が設けられているため、内槽２００を貯水に用いることが可能である。集水装置は外槽９００とすればよく、好ましくは、槽口の高さが洗濯機の内槽２００の槽口よりも低い。より好ましくは、外槽９００の槽口の高さは内槽２００の槽底よりもやや高くなっている。或いは、洗濯機の集水装置は、別途設置される改良構造としてもよい。この場合には、洗濯機の容積を拡大するとの作用を更に奏することが可能となる。
【００３２】
集水装置を設けることで、内槽２００から水を排出する際に、内槽２００から脱水時に振り出された水を集水装置により収集して、水が溢れ出すのを防止する。一方で、集水装置全体を内槽２００の槽底の下部に設けることが可能である。集水装置全体が内槽２００の下方に位置することから、集水構造は内槽２００と筐体１００の間のスペースを占有しない。よって、内槽２００の容量拡大を規制するような作用を持たず、内槽２００の容量拡大のために十分なスペースが提供される。
【００３３】
更なる方案として、前記集水装置は上開口を有する集水室４００を含む。前記内槽２００は集水室４００の上開口と連通し、前記集水室４００の側壁の外部に制震装置８００が設けられている。
【００３４】
集水室４００を設けることで、内槽２００から脱水により振り出された水を収集可能になるとともに、内槽２００から排出される水の堰き止めも実現可能となる。集水室４００の側壁は、内槽２００と筐体１００の間のスペースを占有しないよう、内槽２００の外壁と面一とすればよい。また、集水室４００の側壁上端を前記内槽２００の槽底よりも低くし、集水室４００全体を内槽２００の槽底下方に位置させてもよい。これにより、集水室４００の側壁は、更に内槽２００と筐体１００の間に位置する構造を有さなくなるため、内槽２００の槽径を大幅に増加可能となり、内槽２００の容量拡大がいっそう良好に実現される。且つ、内槽２００と集水装置の間に一定の安全距離を設けなくても、内槽２００が集水装置に衝突して破損するとの事態が防止される。また、集水装置が筐体１００に衝突する可能性もいっそう低下する。
【００３５】
集水室４００の側壁の外部には制震装置８００が設けられるため、想定外の衝突により洗濯機が破損する恐れを更に低下させられる。制震装置８００は、集水装置が想定外に筐体１００と衝突した場合に緩衝作用を奏することで、防護又は二次防護を可能とする。これにより、集水装置全体を内槽２００の底部に設けるか、集水装置の側壁と内槽２００の側壁を面一とするかに関わらず、更なる制震作用を奏することが可能となる。
【００３６】
前記集水室４００の側壁と前記内槽２００の槽底の外壁との間には一定の間隔が隔てられている。
【００３７】
集水室４００の側壁上端を内槽２００の槽底よりも低くし、且つ、集水室４００の側壁と内槽２００の槽底の外壁との間に一定の間隔を隔てることで、内槽２００が震動時に集水室４００の側壁と衝突するとの事態が防止される。これにより、集水室４００の使用寿命が延びる。
【００３８】
前記集水室４００には、集水装置内の水を排出する排水管４０１が設けられている。前記排水管４０１は洗濯機の外部まで延伸している。
【００３９】
前記内槽２００は、脱水時の排水に用いられる第１排水口２０１と、第１排水口２０１と連通する第１排水管路２０２を含む。前記第１排水管路２０２の吐水口２０３は集水装置と連通する。第１排水口２０１と連通する第１排水管路２０２は内槽内の水を集水装置に排出し、更に、排水管４０１によって水が排出される。
【実施例２】
【００４０】
図５及び図６に示すように、本実施例は実施例１を更に限定する。本実施例において、前記集水装置は、装着プレートと、装着プレートに設置される堰止リブ５０１を含み、前記装着プレートと堰止リブ５０１とで取り囲むことにより集水室４００が形成される。また、堰止リブ５０１の外壁に制震装置８００が設けられている。
【００４１】
装着プレート５００と堰止リブ５０１を設け、これらで取り囲むことで集水室４００を形成するため、本構造はシンプルであり、加工成形が容易である。堰止リブ５０１は集水室４００の側壁であり、一定の高さを有する。堰止リブ５０１は筐体１００に近接しており、筐体１００との衝突の恐れがあるため、堰止リブ５０１の外壁に制震装置８００を設ける。これにより、堰止リブ５０１が想定外に筐体１００に衝突した際の震動を軽減し、損傷を回避することが可能になる。生産過程では、堰止リブに制震装置８００を直接固定すればよいため、筐体１００と堰止リブの対応位置を測定する必要がない。また、制震装置８００は、常に堰止リブ５０１と共に動作可能なため想定外のズレが生じることがなく、最大限の作用を発揮可能である。
【００４２】
集水室４００は装着プレート５００の中央部に位置するため、堰止装置の重心が中心といっそう重なりやすく、ズレが減少する。
【００４３】
前記堰止リブ５０１は環状をなしており、前記堰止リブ５０１と装着プレート５００とで取り囲むことにより環状の集水室４００を形成する。
【００４４】
更なる方案として、前記制震装置８００は、堰止リブ５０１のうち筐体１００の内壁との距離が最も小さい部位に設置される。
【００４５】
良好な貯水効果を達成しつつ占有スペースを縮小するために、堰止リブ５０１は内槽２００の底部に合わせて環状に設ける必要がある。しかし、洗濯機の筐体１００は一般的に四角形であるため、堰止リブ５０１は位置によって筐体１００の内壁との距離が異なることになる。ここで、環状の堰止リブ５０１の外周の接線は筐体１００の側壁と平行な箇所である。即ち、堰止リブ５０１のうち筐体１００の内壁との距離が最も小さい部位である。制震装置８００は、これらの堰止リブ５０１のうち筐体１００の内壁との距離が最も小さな部位にのみ間隔を隔てて設ければよい。これにより、コストを抑えつつ、良好な制震作用が奏される。或いは、筐体１００の内壁との距離が最も小さい部位に制震装置８００を設けるだけでなく、その他の部位にも制震装置８００を設けてもよいし、全体に設けてもよい。これにより、いっそう多くの方向において制震効果が達せられる。
【００４６】
集水装置及び内槽２００に対する制震装置８００の設置については、集水装置と内槽２００との位置関係に基づいて、低コストで最適な制震効果が得られるよう、集水装置に装着するか、内槽２００の外壁に装着するか、或いは、集水装置と内槽２００の外壁の双方に装着するかを選択すればよい。例えば、下記の状況に基づいて設置すればよい。
【００４７】
状況１：内槽２００の水平方向の投影図が前記集水室４００の水平方向の投影図を覆っている場合には、制震装置８００を内槽２００の外壁に設置する。
【００４８】
内槽２００の水平方向の投影図が前記集水室４００の水平方向の投影図を覆うようにすることで、集水室４００と筐体１００との間隔が増大し、筐体１００に対する集水室４００の衝突を防止可能となるため、集水室４００の破損が減少する。且つ、集水室４００が小さくなるため、筐体１００の底部に対するその他の装置の装着がいっそう容易となる。
【００４９】
内槽２００の水平方向の投影図が前記集水室４００の水平方向の投影図を覆っている場合には、集水装置が完全に内槽２００の底部に位置し、且つ直径が内槽２００よりも小さくなる。これらを比較すると、内槽２００の方が直径が大きく、高さが高いことから、震動時に筐体１００に衝突しやすい。そのため、制震装置８００を内槽２００の外壁に設ければよい。また、制震装置８００は筐体１００から最も近い位置に分割して設置してもよいし、連続して設置してもよく、或いは、できるだけ大きな面積となるよう設置してもよい。一方で、集水室４００の側壁は筐体１００との衝突の恐れが相対的に小さいため、制震装置８００を設けなくともよい。
【００５０】
状況２：内槽２００の水平方向の投影図が集水室４００の水平方向の投影図の内側に位置する場合には、制震装置８００を内槽２００の外壁と堰止リブ５０１の外壁に設置する。
【００５１】
内槽２００の水平方向の投影図が集水室４００の水平方向の投影図の内部に位置する場合には、例えば堰止リブ５０１のような集水室４００の側壁の直径が内槽２００の直径よりも大きくなり、筐体１００に近接するため、想定外の衝突の恐れが高くなる。一方で、内槽２００は高さが高いため、震動時には内槽２００の振れ幅が大きくなり、想定外に衝突する恐れがある。そこで、内槽２００の外壁と堰止リブ５０１の外壁の双方に制震装置８００を設けてもよいし、堰止リブ５０１の外壁にのみ制震装置８００を設けてもよい。
【００５２】
更なる方案として、前記堰止リブ５０１は傾斜して設けられ、且つ、上から下に向かって集水室４００の中心軸線方向へ徐々に収縮している。また、制震装置８００は、堰止リブ５０１の外周の上部に設置される。
【００５３】
堰止リブ５０１を傾斜状に設けることで、集水量を最大限増加させられるため、使用にいっそう都合がよい。このとき、同一位置の堰止リブ５０１の上部と筐体１００との距離は、中央部及び下部と筐体１００との距離よりも大きくなる。よって、この場合には、堰止リブ５０１の外側壁の上部に制震装置８００を設けて震動低減効果を発揮させる必要がある。
【００５４】
或いは、前記堰止リブ５０１は垂直に設けられ、前記制震装置８００は堰止リブ５０１の外周の中央部及び／又は上部に設置される。堰止リブ５０１を垂直に設ける場合には、工程がシンプルとなり、製造が容易である。この場合、同一位置の堰止リブ５０１と筐体１００との距離はほぼ等しくなる。そのため、高位置の部位は振れ幅が大きくなることを考慮して、制震装置８００を垂直の堰止リブ５０１の上部及び／又は中央部に設置する。
【００５５】
制震装置８００は、ゴム、発泡材、軟質プラスチック等の軟質材料から構成され、制震パッド、制震ブロック８０１、制震リング８０２等としてもよいし、保護を要する面積に応じて制震装置８００の具体的な形状や規格を設定してもよい。制震装置８００は、堰止リブ５０１の外周壁及び／又は内槽２００の外壁に間隔を置いて設置してもよいし、連続して設置してもよい。前記制震装置８００は、接着、及び／又は係接、及び／又は溶融接続、及び／又は溶接によって堰止リブ５０１及び／又は内槽２００の外周壁に固定する。
【００５６】
具体的な方案としては以下のいくつかが考えられる。ただし、これらに限らない。
【００５７】
方案１：前記制震装置８００が複数の制震ブロック８０１を含み、複数の制震ブロック８０１を環状の堰止リブ５０１の外壁及び／又は内槽２００の外壁に間隔を置いて設置するとともに、均一に配置する。
【００５８】
制震ブロック８０１は、ゴム製の制震パッドとしてもよいし、発泡材製の制震ブロック８０１等としてもよく、堰止リブ５０１の外壁及び／又は内槽２００の外壁に間隔を置いて均一に配置する。これにより、材料の節約を前提として、堰止リブ５０１及び／又は内槽２００の各方向において制震が可能となり、筐体との衝突による損傷が低減する。
【００５９】
好ましくは、前記制震ブロック８０１を４つ設け、環状の堰止リブ５０１のうち筐体１００の４つの側壁との距離が最も小さい部位にそれぞれ設置する。
【００６０】
制震ブロック８０１は、環状の堰止リブ５０１の外周のうち接線と筐体１００とが平行となる位置に１つずつ設置する。制震ブロック８０１は堰止リブ５０１の中央部に設置してもよいし、上部に設置してもよい。即ち、堰止リブ５０１のうち筐体１００との衝突が最も発生しやすい位置に制震ブロック８０１を設置する。この場合、装着も容易である。制震ブロック８０１は堰止リブ５０１とともに移動するためズレが生じることがなく、筐体１００との衝突時の緩衝及び制震作用を保証可能となる。
【００６１】
方案２：制震装置８００は制震リング８０２を含む。前記制震リング８０２は、堰止リブ５０１の外環及び／又は内槽２００の外壁に覆設され、堰止リブ５０１及び／又は内槽２００の外壁の周方向に沿って環状に設置される。
【００６２】
制震装置８００を周方向に連続して一周設置する場合には、堰止リブ５０１の外環及び／又は内槽２００の外壁に覆設される制震リング８０２となる。制震リング８０２の面積が大きくなるほど、堰止リブ５０１又は内槽２００の各方向における衝突及び震動を低減可能となり、衝突防止、震動低減及び騒音軽減効果がいっそう良好となる。
【００６３】
好ましくは、前記制震リング８０２は堰止リブ５０１の外環に覆設され、部分的又は全体的に堰止リブ５０１の外周壁を覆う。制震リング８０２が堰止リブ５０１の外周壁を覆う面積が大きくなるほど、堰止リブ５０１の各方向において生じ得る衝突に対する制震効果がより良好となる。
【００６４】
更に、前記内槽２００の底部外壁は曲面をなしており、前記堰止リブ５０１と内槽２００の曲面が一定の間隔を隔てている。
【００６５】
更に、装着プレート５００には排水管４０１が設けられている。排水管４０１は、一端が集水室４００と連通し、他端が洗濯機の外部に通じるか、洗濯機の排水管路全体と連通して水を排出する。集水室４００の内部に集水装置内の水を排出するための排水管４０１を設けることで、水が集水室４００に排出されると、排水管４０１を通じて集水室４００内の水が排出される。よって、集水室４００内の水が過剰となって溢れ出すとの事態が防止される。
【００６６】
更に、内槽２００の槽壁には、第１排水口２０１と、第１排水口２０１と連通する第１排水管路２０２が設けられている。前記第１排水管路２０２の吐水口２０３は、集水室４００の上開口の上方に設けられる。第１排水口２０１と第１排水管路２０２はいずれも複数とし、各第１排水口２０１がそれぞれ第１排水管路２０２に対応してもよいし、複数の第１排水口２０１が１つの第１排水管路２０２に対応してもよい。洗濯機が脱水プログラムを実行する際には、内槽２００の遠心分離の作用で振り飛ばされた水が、第１排水口２０１を経由して第１排水管路２０２に進入するとともに、第１排水管路２０２の吐水口２０３を通じて集水室４００に排出される。これにより、四方への水の溢流が堰き止められる。
【００６７】
前記第１排水管路２０２の吐水口２０３は、集水室４００の上開口の上方に設けられる。吐水口２０３と集水装置を連通することで、脱水時に水が第１排水口２０１を通じて第１排水管路２０２に進入してから、吐水口２０３を通じて集水室４００へと排出されるため、水が溢れ出さないよう堰き止められる。吐水口２０３は、堰止リブ５０１により取り囲まれた集水室４００の上開口の上方に設けられ、吐水口２０３から排出された水が集水室４００に直接落下する。当該構造はよりシンプルであり、その他の付属部材を追加しなくとも集水効果がいっそう良好となる。
【００６８】
更に、前記内槽２００は、脱水及び／又は水の振り飛ばし時に、内槽２００内の水を集水室４００に排出するための第２排水口２０４を含む。第２排水口２０４と集水室４００の間には封止装置２０５が設けられている。前記封止装置２０５は、脱水及び／又は水の振り飛ばし時に第２排水口２０４を開放し、内槽２００内の大量の水を第２排水口２０４から排出する一方、洗濯時には前記第２排水口２０４を封止し、水を内槽２００内に保持して洗濯を実施する。
【００６９】
更に、前記第２排水口２０４は、前記集水室４００の上開口の上方に設けられ、前記封止装置２０５は第２排水口２０４の下部に設けられる。
【００７０】
第２排水口２０４を設け、脱水及び／又は水の振り飛ばし時に封止装置２０５が第２排水口２０４を開放することで、内槽２００内の水が集水装置に直接排出される。水は堰止リブ５０１によって溢れ出ないよう堰き止められるとともに、排水管４０１を通じて洗濯機から排出される。また、洗濯時には、封止装置２０５が第２排水口２０４を封止することで、内槽２００内の水を内槽２００内に保持して洗濯を実施する。
【００７１】
洗濯機は、パルセータ洗濯機である。
【００７２】
前記封止装置２０５は、バルブプラグ２０５−１と、バルブプラグ２０５−１の下方に設けられる電磁装置２０５−２を含む。電磁装置２０５−２は洗濯機の制御装置に電気的に接続される。洗濯機が洗濯状態の場合、バルブプラグ２０５−１は第２排水口２０４を封止して内槽２００内の水の排出を防止する。また、洗濯機が排水又は脱水状態の場合、前記電磁装置２０５−２はバルブプラグ２０５−１が下方に運動するよう制御し、第２排水口２０４を開放することで、水を集水装置に排出する。
【００７３】
装着プレート５００には位置決め装置が設けられており、内槽２００の底壁には位置決め装置と連携する連携部が設けられている。連携部は位置決め凹溝とすればよい。脱水及び／又は水の振り飛ばし時において、位置決め装置は連携部から離脱し、内槽２００が出力軸３０３に従って回転する。洗濯機が洗濯状態の場合、位置決め装置は連携部と連携し、内槽２００が装着プレート５００に係合する。すると、バルブプラグ２０５−１がちょうど第２排水口２０４と対向し、第２排水口２０４を封止することで、内槽２００内の水の排出が防止される。また、出力軸が洗濯機内のパルセータを回転させる。
【００７４】
更に、前記装着プレート５００は内槽２００と駆動装置３００の間に設けられる。前記装着プレート５００の下部は、駆動装置３００のハウジングに固定接続される。装着プレート５００を内槽２００と駆動装置３００の間に設けることで、内槽２００内の水は自重により落下して、自動的に集水装置に流入可能となる。また、装着プレート５００が駆動装置３００の上部に設けられるため、水が駆動装置３００から遮断され、水に起因する駆動装置３００の破損が防止される。
【００７５】
駆動装置３００はモータ３０１を含む。モータ３０１の上方には減速クラッチ装置３０２が設けられており、装着プレート５００の下部が減速クラッチ又はモータ３０１のハウジングに固定接続される。
【００７６】
装着プレート５００と駆動装置３００の接続方式としては、軸受を介して前記装着プレート５００と駆動装置３００の出力軸３０３を接続してもよい。
【００７７】
更に、減速クラッチの出力軸３０３は、前記装着プレート５００を貫通して内槽２００に接続され、内槽２００を回転駆動する。また、装着プレート５００と駆動装置３００の出力軸３０３は、軸受を介して接続される。
【実施例３】
【００７８】
図４〜５に示すように、本実施例は、実施例１又は実施例２を更に限定する。本実施例は、懸架式の容量拡大洗濯機を提供する。当該洗濯機は、筐体１００、筐体１００内に設置される内槽２００及び駆動装置３００を含む。前記駆動装置３００の出力軸３０３は、内槽２００に接続されて内槽２００を回転駆動する。洗濯機は、更に、懸架式制震部材６００と、内槽２００の下部に設けられる装着部材７００を含む。前記駆動装置３００は前記装着部材７００に装着される。前記懸架式制震部材６００は、一端が筐体１００に接続され、他端が装着部材７００に接続される。
【００７９】
内槽２００の下方に装着部材７００を設け、懸架式制震部材６００を装着部材７００に装着する。装着部材７００は内槽２００の位置よりも下寄りであることから、装着部７０１の縦方向の高さが低下する。そのため、装着された懸架式制震部材６００と筐体１００の側壁の間の傾斜角度θが小さくなり、懸架式制震部材６００による占有スペースが縮小される。当該構造を内槽２００と筐体１００の間に懸架する場合、筐体１００の体積を増大することなく内槽２００の直径を増大可能となり、容量を拡大するとの目的が実現される。
【００８０】
更に、前記装着部材７００は、懸架式制震部材６００に組み付けられる装着部７０１を含む。前記装着部７０１は、前記内槽２００の槽底よりも低くなっている。
【００８１】
装着部７０１は内槽２００の槽底よりも低くなっているため、内槽２００と筐体１００の間のスペースを占有しない。よって、内槽２００の直径を増大可能となり、容量拡大が実現される。
【００８２】
更に、前記装着部７０１は、前記内槽２００の槽底の下方に位置している。装着部７０１が内槽２００の槽底より低く設けられているため、懸架式制震部材６００と装着部７０１を組み付けた場合に、懸架式制震部材６００と筐体１００の間に形成される傾斜角度が小さくなる。即ち、懸架式制震部材６００と筐体１００の内壁がいっそう密着するため、内槽２００に更に十分なスペースが保持される。これにより、内槽２００の直径を増大することで容量を拡大するとの目的を実現可能となる。
【００８３】
更に、前記装着部７０１の水平方向の投影図は、前記内槽２００の水平方向の投影図の外側に位置する。
【００８４】
装着部７０１が内槽２００の槽底の下方に設けられ、内槽２００と筐体１００の間のスペースを占有しないことから、装着部７０１は内槽２００と衝突し得ない。これを前提として、装着部７０１の水平方向の投影図が前記内槽２００の水平方向の投影図の外側に位置するよう、装着部７０１を水平方向において内槽２００の槽壁の外側まで延伸させる。これにより、懸架式制震部材６００の装着スペースが更に縮小するため、内槽２００の装着スペースが増大し、内槽２００の容量拡大が実現される。
【００８５】
更に、前記出力軸３０３は、装着部材７００を貫通して内槽２００に接続され、内槽２００を回転駆動する。また、前記装着部材７００と出力軸３０３は軸受を介して接続される。
【００８６】
装着部材７００は、装着部材７００、駆動装置３００及び内槽２００が相対的に独立したひと固まりとなるよう、駆動装置３００のハウジングに固定接続してもよい。また、装着部材７００は、装着部材７００、駆動装置３００及び内槽２００が相対的に独立したひと固まりとなるよう、駆動装置３００のハウジングに固定接続するとともに、軸受を介して出力軸３０３に接続してもよい。
【００８７】
前記装着部材７００は、装着部材７００、駆動装置３００及び内槽２００が相対的に独立したひと固まりとなるよう、軸受を介して出力軸３０３に接続され、及び／又は、駆動装置３００のハウジングに固定接続される。また、制震部材によって装着部材７００の震動が軽減し、更には内槽２００、駆動装置３００の震動軽減が実現されるため、良好な制震効果が実現される。
【００８８】
前記装着部材７００は中心対称構造をなしている。また、前記懸架式制震部材６００は複数とし、複数の前記懸架式制震部材６００が装着部材７００の全周に均一に分布している。
【００８９】
装着プレート５００を中心対称構造とすることで、装着プレート５００、内槽２００及びモータ３０１の全体的な重心がずれる可能性が低減し、より良好な制震効果が実現される。また、装着プレート５００を円形とすることで、駆動装置３００を装着しやすくなるほか、構造がより安定的となる。
【実施例４】
【００９０】
図４〜５に示すように、本実施例は実施例３を更に限定する。本実施例における装着部材７００は、平板状の円形の装着プレート５００であり、装着プレート５００の直径が前記内槽２００の直径よりも大きい。前記装着プレート５００は内槽２００の下方に設けられ、前記懸架式制震部材６００の下端が装着プレート５００の辺縁に組み付けられる。これにより、懸架式制震部材６００と装着プレート５００との接続部が内槽２００の下部に位置するとともに、内槽２００の周方向の外側に位置する。即ち、装着部７０１は内槽２００の槽底の斜め下方に位置することから、懸架式制震部材６００の懸架スペースが縮小される。そのため、筐体１００の体積を増大させることなく、内槽２００のために保持されるスペースが増大する。
【００９１】
前記駆動装置３００は装着プレート５００の下部に組み付けられる。前記駆動装置３００の出力軸３０３は前記装着プレート５００を貫通し、軸受を介して前記装着プレート５００に接続される。
【００９２】
懸架式制震部材６００は４つとし、円形の装着プレート５００の全周に均一に分布している。
【００９３】
前記制震部材は、懸架ロッド６０２と、減衰力を発生させる制震ユニット６０１を含む。前記懸架ロッド６０２は、一端が筐体１００の上部に固定され、他端が前記装着部７０１を貫通して制震ユニット６０１に接続される。
【００９４】
制震ユニット６０１は装着プレート５００の下部に位置するため、制震ユニット６０１が水平方向において筐体１００と内槽２００の間のスペースを占有することがない。よって、制震ユニット６０１により内槽２００の容量拡大が妨げられるとの事態が低減する。
【００９５】
制震部材と筐体１００及び装着プレート５００との装着方式としては、更に、前記筐体１００の上部に装着ベースを設け、前記懸架ロッド６０２の一端が装着部材７００に接続されるとともに、他端が装着ベースを貫通して制震ユニット６０１に接続されるようにしてもよい。
【００９６】
装着部材７００は、十字型の装着プレート５００としてもよい。懸架式制震部材６００は、十字型の装着プレート５００における各分岐の辺縁にそれぞれ接続される。懸架式制震部材６００と十字型の装着プレート５００を接続する装着部７０１は内槽２００の槽底よりも低くなっているため、内槽２００と筐体１００の間のスペースを占有することがない。且つ、装着部７０１を低くすることで、懸架式制震部材６００の装着スペースが縮小され、内槽２００の容量拡大が実現される。
【００９７】
装着プレート５００は平板としてもよいし、中央が高く辺縁が低い構造としてもよい。例えば、環状の辺縁プレート、円形の中心プレート、及び辺縁プレートと中心プレートを接続する接続垂直プレートを含み、断面が「Ω」状をなすようにしてもよい。
【００９８】
装着プレート５００は、駆動装置３００のハウジングに固定接続してもよいし、言うまでもなく、軸受を介してハウジング及び出力軸３０３の双方に接続してもよい。
【実施例５】
【００９９】
図４〜６に示すように、実施例３及び実施例４を元に、本実施例では、制震装置がモータ３０１を含む。モータには減速クラッチが設けられており、減速クラッチの出力軸３０３が内槽２００に接続されて内槽２００を回転駆動する。前記制震装置は、第１制震部材７０３を更に含む。前記第１制震部材７０３は、一端が装着部材７００に可動に接続され、他端が筐体１００の底部に可動に接続される。第１制震部材７０３は装着部材７００に下方向の引っ張り力を付与する。これにより、装着部材７００は、第１制震部材７０３からの下方向の引っ張り力と懸架式制震部材６００からの上方向の引っ張り力を同時に受けることになり、これらの合力の作用によって、より良好な制震効果が実現される。
【０１００】
装着部材７００は円形且つ平板状の装着プレート５００である。懸架式制震部材６００が上部から装着プレート５００に接続され、第１制震部材７０３が下部から装着プレート５００に接続されることで、懸架式制震部材６００と第１制震部材７０３が同時に装着プレート５００に作用可能となる。これにより、装着プレート５００に制震作用が奏されるため、内槽２００とモータ３０１に対する制震効果が実現される。
【０１０１】
装着部材７００の他の方案として、装着部材７００は、懸架式制震部材６００に接続される装着大プレート７００−１と、第１制震部材７０３に接続される装着小プレート７００−２を含む。装着大プレート７００−１と装着小プレート７００−２は、装着部材の強度が補強されるよう補強リブを介して接続される。補強リブは、間隔を置いて設けることで補強効果がより良好となる。洗濯機の筐体１００の底壁には、補強構造を設置したり、その他の部材を装着したりする必要があるため、一般的には、装着大プレート７００−１の直径を装着小プレート７００−２の直径よりも大きく設計することで、その他の部材を装着するためのスペースを提供する。このように、分割して設けることで装着部材７００下方のスペースがより節約されるため、使用にいっそう都合がよい。
【０１０２】
更に、前記第１制震部材７０３は、一端が装着部材７００にヒンジ接続され、他端が筐体１００の底部にヒンジ接続される。
【０１０３】
更には、前記第１制震部材７０３はアブソーバである。
【０１０４】
更に、洗濯機は、駆動装置３００に設けられる第２制震部材７０４を含む。前記第２制震部材７０４は、一端が駆動装置３００に固定接続されるとともに、他端が筐体１００の底壁に固定接続される。
【０１０５】
第２制震部材７０４を設け、駆動装置３００に下方向の引っ張り力又は上方向の弾性力を付与するとともに、第１制震部材７０３と懸架式制震部材６００を組み合わせることで、装着プレート５００、駆動装置３００及び内槽２００から形成されるひと固まりに対し、各部材の相互作用によってより良好な制震効果が奏される。
【０１０６】
更に、前記第２制震部材７０４は、一端がモータ３０１の固定子に固定接続され、他端が筐体１００の底壁に固定接続される。
【０１０７】
更には、第２制震装置は制震バネである。
【０１０８】
更に、洗濯機には、内槽２００から排出される水が溢れ出さないよう堰き止める集水装置が設けられている。前記集水装置は全体が前記内槽２００の槽底の下部に位置する。集水装置は、上開口を有する集水室４００を含む。前記集水室４００の側壁の上端は、前記内槽２００の槽底よりも低くなっている。また、前記内槽２００は集水室４００の上開口と連通する。
【０１０９】
具体的に、装着プレート５００には堰止リブ５０１が設けられ、前記装着プレート５００と堰止リブ５０１とで取り囲むことにより集水室４００が形成される。装着プレート５００と堰止リブ５０１を設け、これらで取り囲むことで集水室４００が形成されるため、当該構造はシンプルであり、加工成形が容易である。
【０１１０】
集水室４００は装着プレート５００の中央部に位置するため、堰止装置の重心が中心といっそう重なりやすく、ズレが減少する。
【０１１１】
前記堰止リブ５０１は環状をなしており、前記堰止リブ５０１と装着プレート５００とで取り囲むことで環状の集水室４００が形成される。
【０１１２】
更に、前記堰止リブ５０１は傾斜して設けられる。堰止リブ５０１を傾斜状に設けることで、堰き止め量を最大限増加させられるため、使用にいっそう都合がよい。
【０１１３】
更に、前記堰止リブ５０１は、上開口の口径がより大きくなるよう、上から下に集水室４００の中心軸線方向へと徐々に収縮しているため、集水がより容易となる。
【０１１４】
更に、前記内槽２００の底部外壁は曲面をなしており、前記堰止リブ５０１と内槽２００の曲面が一定の間隔を隔てている。
【０１１５】
更に、前記内槽２００の水平方向の投影図は、前記集水室４００の水平方向の投影図を覆っている。内槽２００の水平方向の投影図が前記集水室４００の水平方向の投影図を覆うようにすることで、集水室４００と筐体１００との間隔が増大する。これにより、筐体１００に対する集水室４００の衝突が防止されるため、集水室４００の破損が減少する。且つ、集水室４００が小さくなるため、筐体１００の底部に対するその他装置の装着がいっそう容易となる。
【０１１６】
より多くの水を収集可能となるよう、前記内槽２００の水平方向の投影図は、前記集水室４００の水平方向の投影図より小さくしてもよい。
【０１１７】
更に、装着プレート５００には排水管４０１が設けられている。排水管４０１は一端が集水室４００と連通し、他端が洗濯機の外部に通じるか、洗濯機の排水管路全体と連通して水を排出する。集水室４００の内部に集水装置内の水を排出するための排水管４０１を設けることで、水が集水室４００に排出されると、排水管４０１を通じて集水室４００内の水が排出される。よって、集水室４００内の水が過剰となって溢れ出すとの事態が防止される。
【０１１８】
更に、内槽２００の槽壁には、第１排水口２０１と、第１排水口２０１と連通する第１排水管路２０２が設けられている。前記第１排水管路２０２の吐水口２０３は、集水室４００の上開口の上方に設けられる。第１排水口２０１と第１排水管路２０２はいずれも複数とし、各第１排水口２０１がそれぞれ第１排水管路２０２に対応してもよいし、複数の第１排水口２０１が１つの第１排水管路２０２に対応してもよい。洗濯機が脱水プログラムを実行する際には、内槽２００の遠心分離の作用で振り飛ばされた水が、第１排水口２０１を経由して第１排水管路２０２に進入するとともに、第１排水管路２０２の吐水口２０３を通じて集水室４００に排出される。これにより、四方への水の溢流が堰き止められる。
【０１１９】
前記第１排水管路２０２の吐水口２０３は、集水室４００の上開口の上方に設けられる。吐水口２０３と集水装置を連通することで、脱水時に水が第１排水口２０１を通じて第１排水管路２０２に進入してから、吐水口２０３を通じて集水室４００へと排出されるため、水が溢れ出さないよう堰き止められる。吐水口２０３は、堰止リブ５０１により取り囲まれた集水室４００の上開口の上方に設けられ、吐水口２０３から排出された水が集水室４００に直接落下する。当該構造はよりシンプルであり、その他の付属部材を追加しなくとも集水効果がいっそう良好となる。
【０１２０】
更に、前記内槽２００は、脱水及び／又は水の振り飛ばし時に内槽２００内の水を集水室４００に排出するための第２排水口２０４を含む。第２排水口２０４と集水室４００の間には封止装置２０５が設けられている。前記封止装置２０５は、脱水及び／又は水の振り飛ばし時に第２排水口２０４を開放し、内槽２００内の大量の水を第２排水口２０４から排出する一方、洗濯時には前記第２排水口２０４を封止し、水を内槽２００内に保持して洗濯を実施する。
【０１２１】
更に、前記第２排水口２０４は、前記集水室４００の上開口の上方に設けられ、前記封止装置２０５は第２排水口２０４の下部に設けられる。
【０１２２】
第２排水口２０４を設け、脱水及び／又は水の振り飛ばし時に封止装置２０５が第２排水口２０４を開放することで、内槽２００内の水が集水装置に直接排出される。水は堰止リブ５０１によって溢れ出ないよう堰き止められるとともに、排水管４０１を通じて洗濯機から排出される。また、洗濯時には、封止装置２０５が第２排水口２０４を封止することで、内槽２００内の水を内槽２００内に保持して洗濯を実施する。
【０１２３】
洗濯機は、パルセータ洗濯機である。
【０１２４】
前記封止装置２０５は、バルブプラグ２０５−１と、バルブプラグ２０５−１の下方に設けられる電磁装置２０５−２を含む。電磁装置２０５−２は洗濯機の制御装置に電気的に接続される。洗濯機が洗濯状態の場合、バルブプラグ２０５−１は第２排水口２０４を封止して内槽２００内の水の排出を防止する。また、洗濯機が排水又は脱水状態の場合、前記電磁装置２０５−２はバルブプラグ２０５−１が下方に運動するよう制御し、第２排水口２０４を開放することで、水を集水装置に排出する。
【０１２５】
装着プレート５００には位置決め装置が設けられており、内槽２００の底壁には位置決め装置と連携する連携部が設けられている。連携部は位置決め凹溝とすればよい。脱水及び／又は水の振り飛ばし時において、位置決め装置は連携部から離脱し、内槽２００が出力軸３０３に従って回転する。洗濯機が洗濯状態の場合、位置決め装置は連携部と連携し、内槽２００が装着プレート５００に係合する。すると、バルブプラグ２０５−１がちょうど第２排水口２０４と対向し、第２排水口２０４を封止することで、内槽２００内の水の排出が防止される。また、出力軸が洗濯機内のパルセータを回転させる。
【０１２６】
更に、前記装着プレート５００は内槽２００と駆動装置３００の間に設けられる。前記装着プレート５００の下部は、駆動装置３００のハウジングに固定接続される。装着プレート５００を内槽２００と駆動装置３００の間に設けることで、内槽２００内の水は自重により落下して、自動的に集水装置に流入可能となる。また、装着プレート５００が駆動装置３００の上部に設けられるため、水が駆動装置３００から遮断され、水に起因する駆動装置３００の破損が防止される。
【０１２７】
駆動装置３００はモータ３０１を含む。モータ３０１の上方には減速クラッチ装置３０２が設けられており、装着プレート５００の下部が減速クラッチ又はモータ３０１のハウジングに固定接続される。
【０１２８】
装装着プレート５００と駆動装置３００の接続方式としては、軸受を介して前記装着プレート５００と駆動装置３００の出力軸３０３を接続してもよい。
【０１２９】
更に、減速クラッチの出力軸３０３は、前記装着プレート５００を貫通して内槽２００に接続され、内槽２００を回転駆動する。また、装着プレート５００と駆動装置３００の出力軸３０３は、軸受を介して接続される。
【０１３０】
以上は本発明の好ましい実施例にすぎず、本発明を何らかの形式に限定するものではない。本発明については好ましい実施例によって上記のように開示したが、本発明を限定するとの主旨ではない。本発明の技術方案を逸脱しない範囲において、当業者が上記で提示した技術内容を用いて行うわずかな変形或いは補足は、同等に変形された等価の実施例とみなされ、いずれも本発明の技術方案の内容を逸脱するものではない。また、本発明の技術的本質に基づいて上記の実施例に加えられる簡単な修正、同等の変形及び補足は、いずれも本発明の方案の範囲内とされる。
【符号の説明】
【０１３１】
１００  筐体
２００  内槽
２０１  第１排水口
２０２  第１排水管路
２０３  吐水口
２０４  第２排水口
２０５  封止装置
２０５−１  バルブプラグ
２０５−２  電磁装置
３００  駆動装置
３０１  モータ
３０２  減速クラッチ装置
３０３  出力軸
４００  集水室
４０１  排水管
５００  装着プレート
５０１  堰止リブ
６００  懸架式制震部材
６０１  制震ユニット
６０２  懸架ロッド
７００  装着部材
７００−１  装着大プレート
７００−２  装着小プレート
７０１  装着部
７０３  第１制震部材
７０４  第２制震部材
８００  制震装置
８０１  制震ブロック
８０２  制震リング
９００  外槽
【図１】
2020527965.tif 000003
【図２】
2020527965.tif 000004
【図３】
2020527965.tif 000005
【図４】
2020527965.tif 000006
【図５】
2020527965.tif 000007
【図６】
2020527965.tif 000008
【国際調査報告】
2020527965.tif 000009
2020527965.tif 000010
2020527965.tif 000011
2020527965.tif 000012
2020527965.tif 000013
2020527965.tif 000014